(57)【要約】【課題】家庭で日常、一般的に使用されるポリエチレン袋の如きポリオレフィン系樹脂ごみ袋に動物忌避効果を与え、放置されたごみ収容ポリオレフィン系樹脂袋の犬，猫，カラス等、迷惑動物による食い荒らしや袋破りなどの被害を防止する。【解決手段】煙草くずや回収吸い殻等より得られた煙草葉加工物の微粉末をポリオレフィン系樹脂に混入してペレット状に成形し、更にこのポリオレフィン系樹脂ペレットを成形材料のポリオレフィン系樹脂に混入して、インフレーション成形により円筒状フィルムに成形し、該円筒状フィルムを所定長さにカットして底部をシールし動物忌避ごみ袋とする。  【選択図】          なし【特許請求の範囲】
【請求項１】
煙草くずや回収吸い殻等より得られた煙草葉加工物の微粉末をポリオレフィン系樹脂に混入、混練りし、ペレット状に成形してなることを特徴とするペレット状動物忌避剤。
【請求項２】
煙草くずや回収吸い殻等より得られた煙草葉加工物微粉末を含有するポリオレフィン系樹脂フィルムよりなることを特徴とする動物忌避ごみ袋。
【請求項３】
煙草くずや回収吸い殻等より得られた煙草葉加工物を含有するポリオレフィン系樹脂ペレットをポリオレフィン系樹脂１００に対し５〜４０重量％混入し、これを成形材料としてインフレーション成形により円筒状フィルムに成形し、該円筒状フィルムを所定長さにカットして底部をシールし、ごみ袋に形成することを特徴とする動物忌避ごみ袋の製造法。
【請求項４】
ポリオレフィン系樹脂ペレットにおける煙草葉加工物微粉末とポリオレフィン系樹脂との配合割合が２０〜６０：８０〜４０である請求項３記載の動物忌避ごみ袋の製造法。
【発明の詳細な説明】
【技術分野】
【０００１】
本発明は犬，猫，カラス等の動物を寄せ付けない動物忌避剤に係り、更に該動物忌避剤を用いた動物忌避ごみ袋ならびにその製造法に関するものである。
【背景技術】
【０００２】
従来より犬や猫，カラス等の動物がごみ収集場所に置かれているごみ袋を破って中のごみをあさり、周囲に散乱させたり、また糞害，尿害や畑等の花や作物に被害を与えることは日常、広く問題となっている。
【０００３】
そこで、このような問題を解決するためにごみ袋にカラスや鳥獣等が嫌う色彩を施したり（例えば特許文献１参照）、ごみ容器に防鳥ネットを被せるなどの対策を施す（例えば特許文献２参照）ことが実施されていた。
【０００４】
しかし、カラスや鳥獣が嫌う色彩を施しても充分な効果はなく、また防鳥ネットを被せることは生ごみの収容，回収に際し、一々それを除去したり、被せ直したりしなければならない面倒があった。
【０００５】
そのためごみ袋の内外に散布，付着又は噴霧して使用する動物忌避剤が提案され、ポリブテン，ポリブテンとポリイソブチレンの共重合体やサリチル酸低級エステル類を合成樹脂に付着又は含有させて忌避効果を付与することが提案されている。（例えば特許文献３，４，５参照）
【０００６】
しかし、これらの忌避剤を使用して散布する場合には数日の間に揮発して了って忌避効果を持続させることが困難であるのみならず、忌避剤が大気中に放出されて環境に悪影響を及ぼす可能性がある。
【０００７】
一方、最近、上記のような動物を寄せ付けない各手段に対し、煙草の生産過程で生ずる煙草くずや、回収された煙草の吸い殻で巻紙とフィルムを除いた回収吸い殻を利用した安価で広範なスペースに対して使用可能な犬，猫，カラスなど、迷惑動物忌避剤が提案された。（例えば特許文献５参照）
【特許文献１】実用新案登録第３０９５３６５号公報
【特許文献２】実用新案登録第３０８４８８５号公報
【特許文献３】特開平１１−２９２７０９号公報
【特許文献４】特開平６−４８９０３号公報
【特許文献５】特開平８−２２５４０６号公報
【特許文献６】特開２００２−１１４６１９号公報
【発明の開示】
【発明が解決しようとする課題】
【０００８】
ところが、上記煙草葉加工物を用いたものは同文献によれば煙草葉加工物を直接、袋に入れて用いたり、あるいは煙草成分含有粒状物や練りものとして袋，ビン，チューブに入れたり、水に溶解させた煙草成分液として樹脂やガラス製の容器、または噴霧容器に入れて噴霧することにより利用されているが、現在、最も動物被害を受けて迷惑を被り、悩まされているごみ袋に対してはその利用は殆ど考慮されていない。
【０００９】
本発明は上述の如き実状に対処し、特に日常生活において家庭から出るごみを入れるポリエチレン袋に着目し、煙草葉加工物の微粉末の混入を試みることにより袋形成材料であるポリエチレン自体の動物忌避効果を高め、犬，猫，カラス等による被害の防止を図ることを目的とするものである。
【課題を解決するための手段】
【００１０】
上記目的を達成するため、本発明は先ず、煙草くずや回収吸い殻等より得られた煙草葉加工物の微粉末をポリオレフィン系樹脂に混入、混練りし、ペレット状に成形してなるペレット状動物忌避剤を特徴とする。
【００１１】
請求項２は上記ペレット状動物忌避剤を用いて成形してなる上記煙草くずや回収吸い殻等の煙草葉加工物微粉末を含有するポリオレフィン系樹脂フィルムよりなる動物忌避ごみ袋を提供する。
【００１２】
請求項３は上記ごみ袋の製造法であり、煙草くずや回収吸い殻等より得られた煙草葉加工物を含有するさきのポリオレフィン系樹脂ペレットをポリオレフィン系樹脂１００に対し５〜４０重量％の割合で混入し、これを成形材料としてインフレーション成形により円筒状フィルムに成形し、該円筒状フィルムを所定長さにカットして底部をシールし、袋に形成して動物忌避ごみ袋を製造する方法である。
【００１３】
請求項４は上記請求項３記載のごみ袋の製造におけるポリオレフィン系樹脂ペレットの煙草葉加工物微粉末とポリオレフィン系樹脂との配合割合が２０〜６０：８０〜４０であることを特徴とする。
【発明の効果】
【００１４】
以上のような本発明によれば、煙草葉加工物を微粉末としてポリオレフィン系樹脂に含有させてペレット状の動物忌避剤とすることにより、これを利用してごみ袋などを成形することが容易であると共に、上記ペレット状忌避剤をごみ袋成形材料としてポリオレフィン系樹脂に混合してインフレーション成形によりごみ袋として作成することにより、ごみ袋自体が動物忌避効果を有し、しかも微粉末はフィルム内部に含有されているため、忌避効果は持続して確実に保持され、風雨によっても逸失することもなく、従って、ごみ袋が破られたり、内部のごみを周辺に散らされることもなく、極めて実効性に優れたごみ袋を提供する顕著な効果を有している。
【発明を実施するための最良の形態】
【００１５】
以下、更に本発明の具体的な実施の形態について説明する。
本発明は前述のように煙草葉加工物を用いて動物忌避剤ならびに動物が忌避するごみ袋を提供するものである。
ここで、煙草葉加工物とは、煙草の生産過程において生ずる煙草くずならびに煙草の吸い殻の回収された回収吸い殻のうち、煙草の巻紙とフィルタ等を除去した残りの吸い殻であり、使用に際しては通常、ニコチン等を除去する。
【００１６】
煙草の生産過程において発生する煙草くずは一般に廃棄され、肥料等に利用されているにすぎないが、これを動物忌避剤として有効利用することは極めて意義あることである。
また、煙草の吸い殻は現在、ごみとして廃棄処分されているが、これも動物忌避効果が活かされ、活用されることは頗る意義がある。
そして、上記の如き煙草葉加工物は、種々加工して利用が考えられるが、本発明においては、それら煙草くず，吸い殻などの煙草葉加工物を先ず、乾燥して微粉砕し、微粉末として利用を図っている。
煙草葉加工物の微粉砕は既知の微粉砕手段が利用可能であるが、ハンマーミル，スーパーミル，ジェットミル等を利用することが最も有効である。
得られた煙草葉加工物の微粉末の好ましい粒径は略１０〜５０μであり、１００μを超えるような粒径は好ましくない。
【００１７】
上記微粉末は次にポリオレフィン系樹脂に混入され、混練りされてポリオレフィン系樹脂ペレットに成形され、マスターバッチに作られる。
ポリオレフィン系樹脂としてはポリエチレン，ポリプロピレン等が含まれ、何れも使用可能であるが、ポリエチレン樹脂が最も一般的である。
ペレット成形は通常、２軸押出成形機を用い、該成形機より押出してペレット化するが、この場合、ポリオレフィン系樹脂と微粉末との配合は、６０：４０程度が最も好ましい。しかし、これに限定されることなく８０〜４０：２０〜６０の範囲であれば可能であるが、微粉末が６０を超えるとペレットが劣化する恐れがあり好ましくない。また、余り少なすぎれば動物忌避効果が薄れることになる。
【００１８】
この煙草葉加工物の微粉末を含むポリオレフィン系樹脂ペレットはそれ自体としても使用可能であるが、本発明では更にこれをごみ袋の製造に使用する。
ごみ袋の製造は、上記本願微粉末含有ポリオレフィン系樹脂ペレットをごみ成形材料であるポリオレフィン系樹脂樹脂に混入し、混合成形材料として既知のインフレーション成形を行って円筒状フィルムに成形し、該円筒状フィルムを所要の一定長さにカットして底部をシールし、袋に形成する。
この場合、成形材料としてはポリオレフィン系樹脂１００に対しポリオレフィン系樹脂ペレットを５〜４０重量％程度投入することが好ましい。
微粉末含有ポリオレフィン系樹脂ペレットの混入量が多くてはごみ袋の強度が低下し、破損し易くなる。
一方、同ポリオレフィン系樹脂ペレットの混入量がポリオレフィン系樹脂に対し５％以下では動物忌避の充分な効果が得られない。従って、５〜４０重量％の混入が適当であり、最も好ましくは１０〜３０重量％である。
かくして得られるポリオレフィン系樹脂ごみ袋は動物忌避性を有し、犬，猫，カラス等を寄せ付けない特性を有している。
【実施例】
【００１９】
以下、本発明の実施例を説明する。
煙草くず及び煙草吸い殻よりニコチンを抜脱した吸い殻１０ｋｇを乾燥後、アトマイザー微粉砕機により微粉化し、篩別して４０μ以下の粒度の微粉末を６ｋｇ得た。
次いで、この微粉末をポリオレフィン系樹脂樹脂６０に対し４０の割合で混練りし、２軸押出機により押出しペレットを成形し、１５ｋｇのポリオレフィン系樹脂ペレットを得た。
このポリオレフィン系樹脂ペレットを引き続きごみ袋作成のためマスターバッジとしてポリオレフィン系樹脂樹脂１００ｋｇに対し１０ｋｇ混入し、成形材料としてインフレーション成形機を用いて筒状フィルムを形成し、ごみ袋となるポリオレフィン系樹脂袋を作成した。
【００２０】
そして、上記煙草葉加工物の微粉末入りのポリオレフィン系樹脂ごみ袋３個に対しキャベツ，白菜，きゅうり、トマト，小松菜などの野菜を入れ、一方、市販のポリオレフィン系樹脂ごみ袋３個に同様に野菜を入れ、また、本発明に係る微粉末入りのごみ袋２個に食べ残りの野菜各種を入れ、既知のごみ袋２個に同様に食べ残りかすをいれて、これらを犬，猫，カラス等の迷惑動物の出現する住宅地の一角に放置した。
翌々日、これら各ごみ袋について観察したところ、既知のごみ袋については５個中、３個が食い破られているのが判明したが、本発明のごみ袋については一部、引っ掻いた跡がみられた外はすべて破損は全く見られなかった。
【００２１】
以上より、本発明の微粉末入りごみ袋は従来のごみ袋に対し、充分、有用であることが認められた。